(57)【要約】      （修正有）【課題】操作頻度が多くとも、長期間、接触信頼性が低下しないとともに、所定のクリック感を維持できる操作モード選択装置を提供する。【解決手段】第１，第２ホールＩＣ３３，３４を配置したプリント基板３０の上方に、異なる磁極を交互に同一円周上に設けたモード選択用マグネット５１を配置した操作ダイヤル６０を、回動可能に支持し、操作ダイヤル６０を回動させて操作することにより、所定の角度毎にクリック感を操作者に付与しつつ、モード選択用マグネット５１の磁極を前記第１，第２ホールＩＣ３３，３４で検出し、操作ダイヤル６０の回動位置を出力する。【選択図】図２
2010176971.tif 000002
【特許請求の範囲】
【請求項１】
複数の磁極検出素子を配置したプリント基板の上方に、異なる磁極を交互に同一円周上に設けた少なくとも１個のモード選択用マグネットを配置した操作ダイヤルを、回動可能に支持した操作モード選択装置であって、
前記操作ダイヤルを回動させて操作することにより、所定の角度毎にクリック感を操作者に付与しつつ、前記モード選択用マグネットの磁極を前記磁界検出素子で検出し、前記操作ダイヤルの回動位置を出力することを特徴とする操作モード選択装置。
【請求項２】
操作ダイヤルに、磁極を交互に同一円周上に設けたクリック感用可動マグネットを配置する一方、前記クリック感用可動マグネットと対向する位置に、同一ピッチで異なる磁極を交互に同一円周上に設けたクリック感用固定マグネットを配置し、
前記クリック感用可動マグネットと前記クリック感用固定マグネットとの間の吸引力，反発力によって生じるクリック感を、前記操作ダイヤルに付与することを特徴とする請求項１に記載の操作モード選択装置。
【請求項３】
操作ダイヤルに、モード選択用マグネットとクリック感用可動マグネットとを同一円周上に配置したことを特徴とする請求項１または２に記載の操作モード選択装置。
【請求項４】
モード選択用マグネットの磁極と、クリック感用可動マグネットの磁極とを異なるピッチとしたことを特徴とする請求項１ないし３のいずれか１項に記載の操作モード選択装置。
【請求項５】
クリック感用可動マグネットの全部または一部を、モード選択用マグネットに兼用することを特徴とする請求項１ないし４のいずれか１項に記載の操作モード選択装置。
【請求項６】
操作ダイヤルに、磁極を交互に同一円周上に設けた自動復帰用可動マグネットを配置する一方、前記自動復帰用可動マグネットと対向する位置に、同一ピッチで異なる磁極を交互に同一円周上に設けた自動復帰用固定マグネットを配置し、
前記自動復帰用可動マグネットと前記自動復帰用固定マグネットとの間の吸引力，反発力によって生じる復帰力で、前記操作ダイヤルを操作前の位置に自動復帰させることを特徴とする請求項１ないし５のいずれか１項に記載の操作モード選択装置。
【請求項７】
請求項１ないし６に記載の操作モード選択装置を、操作ダイヤルを外部から操作できるようにハウジングに露出させて取り付けたことを特徴とする電子機器。
【発明の詳細な説明】
【技術分野】
【０００１】
本発明は操作モード選択装置、特に、携帯電話機、デジタルカメラ、ビデオカメラ等に組み込まれ、操作モードを選択できる操作モード選択装置に関する。
【背景技術】
【０００２】
従来、操作モードを選択できる操作モード選択装置としては、例えば、カメラに組み込まれるモード設定ダイヤル３がある（特許文献１参照）。前記モード設定ダイヤル３は、前記特許文献１の図５および図６に示すように、ダイヤル本体５と、サブフレーム６と、クリック板３６と、コード板３７とを有している。そして、前記モード設定ダイヤル３では、ダイヤル本体５の回転に伴い、ブラシ３９が導体パターン３７１を摺動し、接触抵抗を変化させて出力信号を切り替えることにより、操作モードを選択していた。
【０００３】
また、前記モード設定ダイヤル３は、特許文献１の図７に示すように、クリック板３６の凹部３６１とクリックボール３８とを組み合わせることにより、モード選択の操作時においてクリック感を得ていた。
【先行技術文献】
【特許文献】
【０００４】
【特許文献１】特開２００２−１０７８１０号公報
【発明の概要】
【発明が解決しようとする課題】
【０００５】
しかしながら、前述のモード設定ダイヤル３では、操作モードの操作頻度が多いと、疲労によってブラシ３９のバネ力が低下し、接触圧力が減少して接触信頼性が低下する。
同様に、操作モードの操作頻度が多いと、クリック板３６の凹部３６１の磨耗によってクリック感が弱くなるという問題点がある。
【０００６】
本発明は、前記問題点に鑑み、操作頻度が多くとも、長期間、接触信頼性が低下しないとともに、所定のクリック感を維持できる操作モード選択装置を提供することを課題とする。
【課題を解決するための手段】
【０００７】
本発明にかかる操作モード選択装置は、前記課題を解決すべく、複数の磁極検出素子を配置したプリント基板の上方に、異なる磁極を交互に同一円周上に設けた少なくとも１個のモード選択用マグネットを配置した操作ダイヤルを、回動可能に支持した操作モード選択装置であって、前記操作ダイヤルを回動させて操作することにより、所定の角度毎にクリック感を操作者に付与しつつ、前記モード選択用マグネットの磁極を前記磁界検出素子で検出し、前記操作ダイヤルの回動位置を出力する構成としてある。
【発明の効果】
【０００８】
本発明によれば、モード選択用マグネットの磁極を前記磁界検出素子で検出し、前記操作ダイヤルの回動位置を出力する構成としてある。このため、操作ダイヤルの操作頻度が多くなっても、従来例のようにバネ力の低下による接触圧の減少がなく、接触信頼性が低下することがない。
【０００９】
本発明にかかる実施形態としては、操作ダイヤルに、磁極を交互に同一円周上に設けたクリック感用可動マグネットを配置する一方、前記クリック感用可動マグネットと対向する位置に、同一ピッチで異なる磁極を交互に同一円周上に設けたクリック感用固定マグネットを配置し、前記クリック感用可動マグネットと前記クリック感用固定マグネットとの間の吸引力，反発力によって生じるクリック感を、前記操作ダイヤルに付与する構成としてもよい。
本実施形態によれば、クリック感用可動マグネットとクリック感用固定マグネットとの間の吸引力，反発力によって所望のクリック感が得られる。このため、操作ダイヤルの操作頻度が多くとも、従来例のように磨耗によってクリック感が弱くなることがなく、所望のクリック感を維持できる。
【００１０】
本発明にかかる別の実施形態としては、操作ダイヤルに、モード選択用マグネットとクリック感用可動マグネットとを同一円周上に配置しておいてもよい。
本実施形態によれば、モード選択用マグネットとクリック感用可動マグネットとの設置スペースを節約できるので、薄型で小径の操作モード選択装置が得られる。
【００１１】
本発明にかかる他の実施形態としては、モード選択用マグネットの磁極と、クリック感用可動マグネットの磁極とを異なるピッチとしてもよい。
本実施形態によれば、磁極を異なしめることによって多種多様なモード設定とクリック感触とが得られる。
【００１２】
本発明にかかる異なる実施形態としては、クリック感用可動マグネットの全部または一部を、モード選択用マグネットに兼用してもよい。
本実施形態によれば、クリック感用可動マグネットをモード選択用マグネットに兼用することにより、より一層、多種多様なモード設定が可能になる。
【００１３】
本発明にかかる新たな実施形態としては、操作ダイヤルに、磁極を交互に同一円周上に設けた自動復帰用可動マグネットを配置する一方、前記自動復帰用可動マグネットと対向する位置に、同一ピッチで異なる磁極を交互に同一円周上に設けた自動復帰用固定マグネットを配置し、前記自動復帰用可動マグネットと前記自動復帰用固定マグネットとの間の吸引力，反発力によって生じる復帰力で、前記操作ダイヤルを操作前の位置に自動復帰させる構成としてもよい。
本実施形態によれば、自動復帰用可動マグネットと自動復帰用固定マグネットとの間の吸引力，反発力によって生じる復帰力で操作ダイヤルを自動復帰させることができる。このため、操作ダイヤルの操作頻度が多くなっても、構成部品の磨耗，疲労による劣化がなく、動作不良が生じにくい。
また、複数のマグネットを対向するように配置するだけでよい。このため、設計の自由度が大きく、設計しやすいだけでなく、大きな設置スペースを必要とせず、構造が簡単で小型の操作モード選択装置が得られる。
【００１４】
本発明にかかる電子機器は、前述の操作モード選択装置を、操作ダイヤルを外部から操作できるようにハウジングに露出させて取り付けた構成としてもよい。
【００１５】
本発明によれば、操作ダイヤルの操作頻度が多くなっても、従来例のようにバネ力の低下による接触圧の減少がなく、接触信頼性が低下しない電子機器が得られる。
また、操作ダイヤルの操作頻度が多くとも、従来例のように磨耗によってクリック感が弱くなることがなく、所望のクリック感を維持できる電子機器が得られる。
さらに、複数のマグネットを対向するように配置するだけでよい。このため、設計の自由度が大きく、設計しやすいだけでなく、大きな設置スペースを必要とせず、構造が簡単で小型の電子機器が得られるという効果がある。
【図面の簡単な説明】
【００１６】
【図１】図１Ａ，１Ｂは本発明に係る操作モード選択装置の第１実施形態を示す斜視図，底面図である。
【図２】図１Ａで示した操作モード選択装置の分解斜視図である。
【図３】図１Ａで示した操作モード選択装置の異なる角度から視た分解斜視図である。
【図４】図４Ａ，４Ｂは図２で示した環状ホルダーの平面図、底面図である。
【図５】図５Ａは図１で示した操作モード選択装置の平面図、図５Ｂ，５Ｃは図５Ａで示した操作モード選択装置のＢ−Ｂ線断面図、Ｃ−Ｃ線断面図である。
【図６】図６Ａは図２で示したマグネットの磁極を示す説明図、図６Ｂは図６Ａに基づいて選択できるモードを示す表である。
【図７】本発明に係る操作モード選択装置の第２実施形態を示す分解斜視図である。
【図８】図７で示した操作モード選択装置の異なる角度から視た分解斜視図である。
【図９】図９Ａは図７で示した操作モード選択装置の平面図、図９Ｂ，９Ｃは図９Ａで示した操作モード選択装置のＢ−Ｂ線断面図、Ｃ−Ｃ線断面図である。
【図１０】図１０Ａ，１０Ｂは本発明に係る操作モード選択装置の第３実施形態を示す斜視図，底面図である。
【図１１】図１０Ａで示した操作モード選択装置の分解斜視図である。
【図１２】図１０Ａで示した操作モード選択装置の異なる角度から視た分解斜視図である。
【図１３】図１３Ａは図１０で示した操作モード選択装置の平面図、図１０Ｂ，１０Ｃは図１０Ａで示した操作モード選択装置のＢ−Ｂ線断面図、Ｃ−Ｃ線断面図である。
【図１４】図１４Ａは図１１で示したマグネットの磁極を示す説明図、図１４Ｂは図１４Ａに基づいて選択できるモードを示す表である。
【図１５】図１５Ａは図１４で示したマグネットの磁極の変形例を示す説明図、図１５Ｂは図１５Ａに基づいて選択できるモードを示す表である。
【図１６】図１６Ａ，１６Ｂは本発明に係る操作モード選択装置の第４実施形態を示す斜視図，底面図である。
【図１７】図１６Ａで示した操作モード選択装置の分解斜視図である。
【図１８】図１６Ａで示した操作モード選択装置の異なる角度から視た分解斜視図である。
【図１９】図１９Ａは図１６で示した操作モード選択装置の平面図、図１９Ｂ，１９Ｃは図１９Ａで示した操作モード選択装置のＢ−Ｂ線断面図、Ｃ−Ｃ線断面図である。
【図２０】図２０Ａは図１７で示したマグネットの磁極を示す説明図、図２０Ｂは図２０Ａに基づいて選択できるモードを示す表である。
【発明を実施するための形態】
【００１７】
本発明に係る操作モード選択装置の実施形態を図１ないし図２０の添付図面に従って説明する。
第１実施形態は、図１ないし図６に示すように、略Ｃ字形の摺動シート２０およびフレキシブルな帯状プリント基板３０を貼着一体化したベース１０と、クリック感用固定マグネット５０を装着し、前記ベース１０にカシメ固定した環状ホルダー４０と、モード選択用マグネット５１およびクリック感用可動マグネット５２を一体に組み付けた操作ダイヤル６０と、押しボタン７０と、からなるものである。
【００１８】
ベース１０は、図２に示すように、薄板金属材からなる円板であり、同一円周上に均等なピッチでカシメ孔１１を設けてある。
【００１９】
摺動シート２０は、前記ベース１０を被覆可能な略Ｃ字形状を有するとともに、前記ベース１０のカシメ孔１１に対応する位置にカシメ孔２１を設けてある。
【００２０】
プリント基板３０は、その一端部に接続部３１を形成してある一方、その他端部に押しボタンスイッチ３２を実装するとともに、前記押しボタンスイッチ３２の近傍には第１，第２ホールＩＣ３３，３４を実装してある。なお、前記摺動シート２０と前記プリトン基板３０とは、後述する操作ダイヤル６０が円滑に摺動できるように、同一厚さ寸法を有している。
【００２１】
環状ホルダー４０は、図２ないし図４に示すように、大径の外周リング４１と小径の内周リング４３とを同心円上に配置するとともに、一対の連結部４２，４２を介して一体化してある。
前記外周リング４１は、その上面の内周縁部に環状リブ４１ａを突設するとともに、その上面にクリック感用固定マグネット５０を組み付けるための切り欠き部４１ｂを形成してある。また、前記外周リング４１は、図３に示すように、その下面のうち、前記ベース１０のカシメ孔１１に対応する位置にカシメ突起４４を設けてあるとともに、前記第１，第２ホールＩＣ３３，３４に対応する位置に逃げ部４５を形成してある。前記逃げ部４５には、外周リング４１の強度を確保するための支持突起４５ａを突設してある。
なお、説明の便宜上、図２ないし図４のカシメ突起４４はカシメられた状態を図示している。
【００２２】
前記内周リング４３は、図４に示すように、その内周縁部に軸心に沿って一対の嵌合用縦溝４６，４６を対向するように設けるとともに、前記係合用縦溝４６，４６の近傍に空回り防止用凹部４６ａ，４６ａをそれぞれ設けてある。また、前記内周リング４０は、その外周縁部に軸心に沿って一対の嵌合用縦溝４７，４７を対向するように設けるとともに、前記嵌合用縦溝４７，４７に隣接するように抜け止め突起４７ａ，４７ａをそれぞれ設けてある。
【００２３】
前記クリック感用固定マグネット５０は、例えば、射出成形用磁性材料を円弧状に成形した後、Ｎ極，Ｓ極を交互に磁化したものである。例えば、９０度の角度を有する円弧形状のクリック感用固定マグネット５０に６極の磁極を併存するように磁化してもよい。
なお、操作ダイヤル６０の操作感触は、前記クリック感用固定マグネット５０の円弧長さを変えて調整できる。また、着磁作業は半径方向に限らず、軸心方向に行ってもよい。
【００２４】
前記モード選択用マグネット５１は、図６に示すように、半円弧状に形成した磁性材料を６０度ずつＳ極、Ｎ極、Ｓ極に磁化したものである。一方、前記クリック感用可動マグネット５２は、半円弧状に形成した磁性材料を１５度ずつＳ極、Ｎ極を交互に磁化し、計１２極の極性を有している。
【００２５】
前記操作ダイヤル６０は、図２に示すように、嵌合孔６１を有するとともに、前記ベース１０を被覆可能なドーナッツ形状を有している。そして、前記操作ダイヤル６０は、その外周面に操作用突起６２を設けてあるとともに、目印用切り欠き部６３を形成してある。また、前記操作ダイヤル６０は、図３に示すように、その底面に前記モード選択用マグネット５１およびクリック感用可動マグネット５２を嵌合できる環状溝６４を有するとともに、前記環状溝６４の内周縁部から嵌合用爪部６５，６５を中心に向けて突設してある。
【００２６】
前記押しボタン７０は、前記操作ダイヤル６０の嵌合孔６１に嵌合可能な外径を有し、その下面中央に突設した軸部７１の下端面に操作用突起７２を突設してあるとともに、前記軸部７１の下面縁部から係合用突起７３，７３を側方に突設してある。
【００２７】
次に、前述の構成部品の組立工程について説明する。
まず、ベース１０に摺動シート２０とプリント基板３０とを貼着一体化する。一方、環状ホルダー４０の切り欠き部４１ｂにクリック感用固定マグネット５０を所定の位置に位置決めして固定する一方、操作ダイヤル６０の環状溝６４にモード選択用マグネット５１およびクリック感用可動マグネット５２を嵌合，固定する。そして、環状ホルダー４０の嵌合用縦溝４７に操作ダイヤル６０の嵌合用爪部６５を落とし込んだ後、前記操作ダイヤル６０を半時計回り方向に回転し、前記嵌合用爪部６４を抜け止め用突起４７ａを乗り越えさせることにより、前記環状ホルダーに４０に前記操作ダイヤル６０を回動可能に抜け止めする。ついで、前記操作ダイヤル６０の嵌合孔６１に押しボタン７０を嵌合するとともに、環状ホルダー４０の係合用縦溝４６に押しボタン７０の係合用突起７３を嵌合する。そして、前記押しボタン７０を押し下げつつ、反時計回り方向に回動し、前記係合用突起７３を空回り防止用凹部４６ａに係合する。最後に、環状ホルダー４０のカシメ突起４４を前記ベース１０のカシメ孔１１に挿入してカシメ固定することにより、組立作業が完了する。
【００２８】
そして、前述の構成からなる操作モード選択装置をデジタルカメラのハウジング（図示せず）に組み付けた場合の操作方法について説明する。
操作ダイヤル６０を回すことにより、前記デジタルカメラのハウジングのうち、前記操作ダイヤル６０の周囲に表示された操作モード（図示せず）と前記操作ダイヤル６０の目印用切り欠き部６３とを合わせる。その際に、操作ダイヤル６０を前記環状ホルダー４０の軸心を中心として回動することにより、摺動シート２０およびプリント基板３０上を操作ダイヤル６０が摺動する。特に、前記操作ダイヤル６０を１５度ずつ回動することにより、クリック感用固定マグネット５０とクリック感用可動マグネット５２との相互の反発力および吸引力とでクリック感が得られる。また、図６に示すように、前記操作ダイヤル６０と一体なモード選択用マグネット５１は一対の第１，第２ホールＩＣ３３，３４の上方に位置するため、モード選択用マグネット５１の磁極を前記第１，第２ホールＩＣ３３，３４がそれぞれ検知する。
したがって、操作ダイヤル６０を３０度ずつ回動させることにより、クリック感を感じつつ、４つのモードを検出でき、その検出結果は図示しない制御回路を介して出力され、所望のモードを選択できる。
ついで、押しボタン７０を押すことにより、押しボタンスイッチ３２を駆動し、選択したモードを出力する。
【００２９】
第２実施形態は、図７ないし図９に示すように、前述の第１実施形態と動作原理は同じであるが、主に操作ダイヤル６０および押しボタン７０の取付構造が異なっている。なお、同一部品には同一番号を附して説明を省略する。
すなわち、第２実施形態に係る操作モード選択装置は、略Ｃ字形の摺動シート２０およびフレキシブルな帯状プリント基板３０を貼着一体化したベース１０と、クリック感用固定マグネット５０を装着し、前記ベース１０にカシメ固定した環状ホルダー４０と、モード選択用マグネット５１およびクリック感用可動マグネット５２を一体に組み付けた操作ダイヤル６０と、前記ベース１０に係合，固定し、前記操作ダイヤル６０を抜け止めする固定リング８０と、前記固定リング８０に押し下げ可能に抜け止めした押しボタン７０と、からなるものである。
【００３０】
ベース１０は、図７に示すように、薄板金属材からなる円板であり、同一円周上に均等なピッチでカシメ孔１１を設けてある。また、前記ベース１０は軸心を中心にして対向する位置に一対の略Ｔ字形状の弾性爪部１２，１２を切り起こしてある。
【００３１】
摺動シート２０は、第１実施形態と同様、前記ベース１０を被覆可能な略Ｃ字形状を有するとともに、前記ベース１０のカシメ孔１１に対応する位置にカシメ孔２１を設けてある。
【００３２】
プリント基板３０は、その一端部に接続部３１を形成してある一方、その他端部に押しボタンスイッチ３２を実装するとともに、前記押しボタンスイッチ３２の近傍に第１，第２ホールＩＣ３３，３４を実装してある。なお、前記摺動シート２０と前記プリトン基板３０とは、後述する操作ダイヤル６０が円滑に摺動できるように、同一厚さ寸法を有している。また、前記プリント基板３０は、前記ベース１０の弾性爪部１２，１２と対応する位置に切り欠き部３５および嵌合孔３６を設けてある。
【００３３】
環状ホルダー４０は、図７に示すように、外周リング４１の上面の内周縁部に環状リブ４１ａを突設するとともに、その上面にクリック感用固定マグネット５０を組み付ける切り欠き部４１ｂを形成してある。また、前記外周リング４１は、図８に示すように、その下面のうち、前記ベース１０のカシメ孔１１に対応する位置にカシメ突起４４を設けてあるとともに、前記第１，第２ホールＩＣ３３，３４に対応する位置に逃げ部４５を形成してある。前記逃げ部４５には、外周リング４１の強度を確保するための支持突起４５ａを突設してある。なお、説明の便宜上、図７および図８におけるカシメ突起４４はカシメられた状態で図示されている。
【００３４】
前記クリック感用固定マグネット５０、前記モード選択用マグネット５１、および、前記クリック感用可動マグネット５２は、前述の第１実施形態と同様であるので、説明を省略する。
【００３５】
前記操作ダイヤル６０は、図７に示すように、嵌合孔６１を有するとともに、前記ベース１０を被覆可能な平面略ドーナッツ形状を有している。そして、前記操作ダイヤル６０は、その外周面に操作用突起６２を設けてあるとともに、目印用切り欠き部６３を形成してある。一方、前記操作ダイヤル６０は、図８に示すように、その底面に前記モード選択用マグネット５１およびクリック感用可動マグネット５２を嵌合できる環状溝６４を形成するとともに、前記環状溝６４の内周縁部に沿って嵌合用環状リブ６６を設けてある。
【００３６】
前記固定リング８０は、図７に示すように、前記操作ダイヤル６０の嵌合孔６１に嵌合可能な外径を有し、その内周面に一対の嵌合用縦溝８１，８１を対向するように設けるとともに、前記係合用縦溝８１，８１の近傍に空回り防止用凹部８２，８２をそれぞれ設けてある。さらに、前記固定リング８０は、図８に示すように、その内周面の下端縁部から下方に支持突部８３，８３を突設するとともに、前記支持突部８３の外側面に略Ｔ字形状の係合溝部８４を形成してある。
【００３７】
前記押しボタン７０は、図７に示すように、操作ダイヤル６０の嵌合孔６１に嵌合可能な外径を有するとともに、その下面に前記固定リング８０に嵌合可能な軸部７１を突設してある（図８）。そして、前記軸部７１は、その下端面の中央に操作用突起７２を突設してあるとともに、前記軸部７１の下端面の縁部から係合用突起７３，７３を側方に突設してある。
【００３８】
次に、前述の構成部品の組立工程について説明する。
まず、ベース１０に摺動シート２０とプリント基板３０とを貼着一体化する。一方、環状ホルダー４０の切り欠き部４１ｂにクリック感用固定マグネット５０を所定の位置に位置決めして固定する。そして、前記環状ホルダー４０のカシメ突起４４をベース１０のカシメ孔１１にカシメ固定する。
一方、操作ダイヤル６０の環状溝６４にモード選択用マグネット５１およびクリック感用可動マグネット５２を嵌合，固定する。そして、固定リング８０の嵌合用縦溝８１に押しボタン７０の係合用突起７３を係合し、反時計方向に回すことにより、前記係合用突起７３を空回り防止用凹部８２，８２に係合して回り止めする。さらに、前記環状ホルダー４０内に操作ダイヤル６０の嵌合用環状リブ６６を嵌合して位置決めする。ついで、前記操作ダイヤル６０の嵌合孔６１に前記固定リング８０を嵌合し、固定リング８０の支持突部８３，８３で前記ベース１０の弾性爪部１２，１２を外方に押し広げつつ、前記支持突部８３の係合溝部８４に弾性爪部１２を弾性係合させる。これにより、前記操作ダイヤル６０が回動可能に抜け止めされ、組立作業が完了する。
【００３９】
なお、操作方法は、前述の第１実施形態とほぼ同様であるので、説明を省略する。
【００４０】
第３実施形態は、図１０ないし図１５に示すように、クリック感用固定マグネット１１０を組み付けたベース１００と、前記ベース１００に貼着一体化されるプリント基板１２０と、クリック感用可動マグネット１４０およびモード選択用マグネット１４１を組み付けた操作ダイヤル１５０と、前記ベース１００にカシメ固定され、前記操作ダイヤル１５０を抜け止めする筒状カシメ用リング１６１と、筒状カシメ用リング１６１を目隠しするドーナッツ状カバー１６４と、からなる。
【００４１】
前記ベース１００は、図１１に示すように、金属成形品であり、その中央部に設けた貫通孔１０１の外周縁部に突設した環状リブ１０２の外側に、後述するクリック感用固定マグネット１１０を嵌め込める嵌合溝１０５と、逃げ部１０６，１０７，１０８を形成してある。さらに、前記ベース１０は、その上面の外周縁部に、位置規制用突条１０３，１０４を設けてある。
【００４２】
クリック感用固定マグネット１１０は、前述の第１実施形態と同様であり、例えば、射出成形用磁性材料を円弧状に成形した後、Ｎ極，Ｓ極を着磁したものである。例えば、図１４に示すように、９０度の角度を有する円弧形状のクリック感用固定マグネット１１０に６極の磁極を交互に着磁してもよい。
なお、操作ダイヤル１５０の操作感触は、前記クリック感用マグネット１１０の円弧長さを変えて調整できる。また、着磁作業は半径方向に限らず、軸心方向に行ってもよい。
【００４３】
プリント基板１２０は平面略Ｃ字形状を有し、接続部１２１を延在したものである。特に、前記プリント基板１２０は、図１２に示すように、前記ベース１００の逃げ部１０６，１０７，１０８に対応する位置に第１，第２，第３ホールＩＣ１２２，１２３，１２４を装着してある。
【００４４】
前記ベース１００に貼着一体化されたプリント基板１２０上に摺動シート１３１が配置されるとともに、前記環状リブ１０２の外周面に摺動リング１３０が組み付けられる。
【００４５】
前記クリック感用およびモード選択用可動マグネット１４０は、図１４に示すように、２１０度の半円弧状に形成した磁性材料を１５度ずつＳ極、Ｎ極を交互に着磁し、計１４極の極性を有している。一方、前記モード選択用マグネット１４１は、１２０度の半円弧状に形成した磁性材料を６０度ずつＳ極、Ｎ極に着磁したものである。
【００４６】
前記操作ダイヤル１５０は、図１１に示すように、嵌合孔１５１を有するとともに、前記ベース１００を被覆可能な平面略ドーナッツ形状を有している。そして、前記操作ダイヤル１５０は、前記嵌合孔１５１の外周縁部に嵌合用段部１５２，１５３を順次形成してあるとともに、その外側面に回り止め用突起１５４を突設してある。一方、前記操作ダイヤル６０は、図１２に示すように、その底面に、前記クリック感用およびモード選択用可動マグネット１４０およびモード選択用可動マグネット１４１を嵌合できる円弧溝１５５，１５６を形成してある。
【００４７】
前記筒状カシメ用リング１６１は、前記操作ダイヤル１５０の嵌合孔１５１に嵌合可能であり、その上端部に嵌合用段部１５２に摺動シート１６０を介して係合可能な抜け止め用リブ１６２を形成するとともに、その下端部をカシメ部１６３としてある。そして、前記操作ダイヤル１５０の嵌合用段部にカバー１６４を貼着一体化することにより、前記筒状カシメ用リング１６１を目隠しできる。なお、説明の便宜上、図１１および図１２には、カシメ部１６３をカシメた状態で図示してある。
【００４８】
次に、前述の構成部品の組立工程について説明する。
まず、ベース１００の嵌合溝１０５にクリック感用固定マグネット１１０を嵌合，固定するとともに、プリント基板１２０を所定の位置に貼着一体化した後、摺動シート１３１および摺動リング１３０を組み付ける。一方、操作ダイヤル１５０の嵌合溝１５５，１５６にクリック感用およびモード選択用可動マグネット１４０，モード選択用マグネット１４１を嵌合，固定する。ついで、前記操作ダイヤル１５０の嵌合孔１５１に摺動シート１６０を介して筒状カシメ用リング１６１を嵌合するとともに、ベース１００の嵌合孔１０１に嵌合してカシメ固定する。最後に、前記操作ダイヤル１５０の嵌合用段部１５３にカバー１６４を貼り付けることにより、組立作業が完了する。
【００４９】
そして、前述の構成からなる操作モード選択装置をデジタルカメラのハウジング（図示せず）に組み付けた場合の操作方法について説明する。なお、前記操作ダイヤル１５０の嵌合孔１５１には、図示しない撮影用レンズが組み付けられている。
まず、操作ダイヤル１５０を回すことにより、前記デジタルカメラのハウジングのうち、前記操作ダイヤル１５０の周囲に表示された操作モード（図示せず）と前記操作ダイヤル１５０の回り止め用突起１５４とを合わせる。その際に、操作ダイヤル１５０は前記ベース１００の軸心を中心として回動するとともに、摺動シート１３１、摺動リング１３０および摺動シート１６０の表面を摺動する。特に、前記操作ダイヤル１５０を１５度ずつ回動することにより、クリック感用固定マグネット１１０とクリック感用およびモード選択用可動マグネット１４０との相互の反発力および吸引力でクリック感が発生する。
また、前記操作ダイヤル１５０と一体なモード選択用可動マグネット１４１は第１，第２，第３ホールＩＣ１２２，１２３，１２４上に位置するため、前記第１，第２，第３ホールＩＣ１２２，１２３，１２４が直上の磁極をそれぞれ検出する。
したがって、図１４に図示するように、操作ダイヤル１５０を３０度ずつ回動することにより、クリック感を感じつつ、５つのモードを検出でき、その検出結果は図示しない制御回路を介して出力され、所望のモードを選択できる。そして、図示しないハウジングに取り付けたシャッタースイッチを押すことにより、撮影できる。
なお、本実施形態では、操作ダイヤル１５０の回り止め用突起１５４がベース１００の位置規制用突条１０３，１０４にそれぞれ当接することにより、過回転による故障を防止できる。
【００５０】
また、本実施形態の応用例としては、例えば、図１５に示すように、ベース１００に対する前記第１，第２，第３ホールＩＣ１２２，１２３，１２４の取付位置を調整する。一方、操作ダイヤル１５０にクリック感用およびモード選択用可動マグネット１４０、モード選択用可動マグネット１４１，１４２を組み付けることにより、６つの操作モードを選択できる操作モード選択装置が得られる。
【００５１】
第４実施形態は、図１６ないし図２０に示すように、自動復帰用マグネット２１０およびクリック感用固定マグネット２１１を組み付けたベース２００と、前記ベース２００に貼着一体化されるプリント基板２２０と、クリック感用およびモード選択用可動マグネット２５５，２５６を下面に同一円周上に組み付けた操作ダイヤル受け具２５０と、下面に信号用可動マグネットとしても機能する自動復帰用可動マグネット２６７，２６８を同一円周上に配置し、前記操作ダイヤル受け具２５０に回動自在に支持される環状の操作ダイヤル２６０と、前記操作ダイヤル２６０の嵌合孔２６１に嵌合され、前記ベース２００の嵌合孔２０１にカシメ固定される筒状カシメ用リング２７１と、前記筒状カシメ用リング２７１を目隠しするためのドーナッツ状カバー２７４と、からなる。
【００５２】
前記ベース２００は、図１７および図１８に示すように、平面略ドーナッツ形状の金属成形品であり、嵌合孔２０１の外周縁部に形成した環状リブ２０２の外側に、円弧状の仕切り壁２０３および前記仕切り壁２０３と同一円周上に支持用突起２０８を不連続に突設してある。さらに、前記ベース２００の上面外周縁部には回り止め用突起２０４および回り止め用突条２０５を突設してある。また、前記環状リブ２０２と仕切り壁２０３との間に円弧状の嵌合溝２０６を形成してあるとともに、前記仕切り壁２０３と回り止め用突条２０５との間に円弧状の嵌合溝２０７を形成してある。また、前記ベース２００は、その外周縁部に後述するホールＩＣを嵌合できるように逃げ部２０９ａ、２０９ｂ、２０９ｃ、２０９ｄを形成してある。
【００５３】
前記ベース２００の円弧状嵌合溝２０６，２０７には、円弧状の自動復帰用固定マグネット２１０，クリック感用固定マグネット２１１をそれぞれ嵌合一体化してある。前記自動復帰用固定マグネット２１０，前記クリック感用固定マグネット２１１は、射出成形用磁性材で円弧状に成形した後、均等のピッチでＮ極，Ｓ極を交互に磁化してある。そして、前記自動復帰用マグネット２１０，前記クリック感用固定マグネット２１１は所定のピッチずらして組み付けられている。
【００５４】
前記プリント基板２２０は平面略Ｃ字形状を有し、接続部２２１を外方に延在したものである。特に、前記プリント基板２２０は、図１８に示すように、前記ベース２００の逃げ部２０９ａ，２０９ｂ，２０９ｃ，２０９ｄに対応する位置に、第１，第２，第３，第４ホールＩＣ２２２，２２３，２２４，２２５を、それぞれ装着してある。ただし、第４ホールＩＣ２２５は、同一円周上に配置された第１，第２，第３ホールＩＣ２２２，２２３，２２４よりも内側に配置され、前記ベース２００の嵌合溝２０６と同一円周上に位置する配置となっている。また、前記ベース２００の支持用突起２０８に対応する位置に嵌合用スリット２２６をそれぞれ形成してある。
【００５５】
前記プリント基板２２０、自動復帰用固定マグネット２１０およびクリック感用固定マグネット２１１は摺動シート２３０で被覆される。一方、前記環状リブ２０２および前記仕切り壁２０３の外周面には摺動リング２４０，２４１がそれぞれ組み付けられる。
【００５６】
操作ダイヤル受け具２５０は、前記ベース２００の回り止め用突条２０５および回り止め用突起２０４の内側に嵌合可能な外径を有するとともに、その内周縁部に後述する操作ダイヤル２６０を嵌合できる環状段部２５１を有している。また、前記操作ダイヤル受け具２５０は、その外側面にモード選択用突起２５２を突設してある。さらに、前記操作ダイヤル２５０は、その下面に、円弧状のクリック感用およびモード選択用可動マグネット２５５，２５６を同一円周上に配置できる嵌合溝２５３，２５４を形成してある。前記クリック感用およびモード選択用可動マグネット２５５，２５６は、射出成形用磁性材で円弧状に成形した後、それぞれ均等のピッチでＮ極，Ｓ極を交互に着磁してある。
【００５７】
前記操作ダイヤル２６０は、図１７に示すように、前記操作ダイヤル受け具２５０に組み付け可能な平面略ドーナッツ形状を有し、その上面に一対の操作用突起２６４，２６４を突設するとともに、その内周縁部に係合用段部２６２および嵌合用段部２６３を設けてある。また、前記操作ダイヤル２６０は、図１８に示すように、その下面の内周近傍に、信号用可動マグネットとしても機能する自動復帰用可動マグネット２６７，２６８を嵌合するための嵌合溝２６５，２６６を同一円周上に形成してある。さらに、前記操作ダイヤル２６０は、前記操作用突起２６４の直下に位置するように位置規制用突起２６４ａを側方に突設してある。そして、前記操作ダイヤル２６０は、リング状摺動シート２５７を介して操作ダイヤル受け具２５０に回動可能に配置されている。
【００５８】
前記筒状カシメリング２７１は、その上方開口縁部に環状リブ２７２を側方に延在してある一方、その下端部を前記ベース２００の嵌合孔２０１に嵌合してカシメ可能なカシメ部２７３としてある。なお、説明の便宜上、図１７および図１８において、カシメ部２７３はカシメた状態で図示されている。
【００５９】
前記ドーナッツ状カバー２７４は、筒状カシメリング２７１を被覆可能な内径寸法を有するとともに、前記操作ダイヤル２６０の嵌合用段部２６３に嵌合可能な外径寸法を有している。
【００６０】
次に、前述の構成部品の組立工程について説明する。
まず、前記ベース２００の嵌合溝２０６，２０７に自動復帰用固定マグネット２１０，クリック感用固定マグネット２１１をそれぞれ嵌合，固定する。一方、前記ベース２００のプリント基板２２０の嵌合用スリット２２６を支持用突起２０８に嵌合して貼着一体化することにより、前記ベース２００の逃げ部２０９ａ、２０９ｂ、２０９ｃ、２０９ｄに第１，第２，第３，第４ホールＩＣ２２２，２２３，２２４，２２５をそれぞれ嵌合する。
【００６１】
ついで、摺動シート２３０の嵌合用スリット２３１，２３２を仕切り壁２０３および支持用突起２０８にそれぞれ嵌合して位置決めする。さらに、前記環状リブ２０２の外周面に摺動リング２４０を嵌合するとともに、前記仕切り壁２０３の外周面に摺動リング２４１を嵌合する。
【００６２】
前記クリック感用およびモード選択用可動マグネット２５５，２５６を組み込んだ操作ダイヤル受け具２５０を、前記ベース２００の仕切り壁２０３と回り止め用突条２０５との間に嵌合する。そして、前記自動復帰用（信号用）可動マグネット２６７，２６８を組み込んだ操作ダイヤル２６０を、リング状摺動シート２５７を介し、前記操作ダイヤル受け具２５０の環状段部２５１に嵌合する。ついで、前記操作ダイヤル２６０の嵌合用段部２６２に摺動リング２７０を位置決めし、嵌合孔２６１に筒状カシメリング２７１を嵌め込んだ状態でベース２００の嵌合孔２０１からカシメ部２７３を突出させ、カシメ固定する。これにより、操作ダイヤル２６０の嵌合用段部２６２に筒状カシメリング２７１の環状リブ２７２が係合し、前記ベース２００に操作ダイヤル２６０が回動可能に抜け止めされる。最後に、筒状カシメリング２７１の環状リブ２７２にドーナッツ状カバー２７４を貼着一体化することにより、組立作業が完了する。
【００６３】
これにより、図１９に示すように、モード選択用可動マグネット２５５，２５６および自動復帰用（信号用）可動マグネット２６７，２６８は同一平面に位置する。そして、第１，第２，第３ホールＩＣ２２２，２２３，２２４の上方をモード選択用可動マグネット２５５，２５６が回動可能である。一方、第４ホールＩＣ２２５の上方および自動復帰用マグネット２１０の上方を、自動復帰用（信号用）可動マグネット２６７，２６８がそれぞれ回動可能である。また、操作ダイヤル２６０の位置規制用突起２６４ａ，２６４ａは、仕切り壁２０３，支持用突起２０８の端部にそれぞれ当接可能となっている。
【００６４】
次に、前述構成からなる操作モード選択装置をデジタルカメラのハウジング（図示せず）内に組み付けた場合の操作方法について説明する。なお、前記操作ダイヤル２６０の嵌合孔２６１には、図示しない撮影用レンズが組み付けられている。
まず、操作ダイヤル受け具２５０を回すことにより、前記デジタルカメラのハウジングのうち、前記操作ダイヤル受け具２５０の周囲に表示された操作モード（図示せず）と、前記操作ダイヤル受け具２５０のモード選択用突起２５２とを合わせる。その際に、クリック感用固定マグネット２１１とクリック感用およびモード選択用マグネット２５５，２５６との間の吸引力，反発力によって所望のクリック感が得られる。また、前記クリック感用およびモード選択用マグネット２５５，２５６の磁極を、その下方側に位置するホールＩＣ２２２，２２３，２２４がそれぞれ検出し、制御回路を介して所定の信号を出力する。このため、前述の実施形態と同様、多数の操作モードから所望の操作モードを選択できる。
なお、本実施形態では、操作ダイヤル受け具２５０を所定の角度以上に回動すると、そのモード選択用突起２５２が、回り止め用突起２０４または回り止め用突条２０５に当接し、過回転による故障を防止できる。
【００６５】
また、位置規制用突起２６４ａが仕切り壁２０３または支持用突起２０８の端部にそれぞれ当接するまで操作ダイヤル２６０を回動させる。例えば、図２０Ａに示すように、操作ダイヤル２６０を方向１に回動させると、自動復帰用マグネット２６８のＮ極がホールＩＣ２２５の上方に位置する。このため、前記ホールＩＣ２２５がＮ極を検出し、信号を出力する。一方、操作ダイヤル２６０を方向２に回動させると、自動復帰用マグネット２６７のＳ極がホールＩＣ２２５の上方に位置する。このため、前記ホールＩＣ２２５がＳ極を検出し、信号を出力する。このため、本実施形態に係るモード選択装置によれば、回動方向に基づいて異なる信号を出力できる。この結果、例えば、デジタルカメラのレンズをズームアップあるいはズームダウンさせることが可能となる。
【００６６】
さらに、前記位置規制用突起２６４ａが仕切り壁２０３または支持用突起２０８の端部にそれぞれ当接する位置まで操作ダイヤル２６０を回動すると、自動復帰用固定マグネット２１０と自動復帰用可動マグネット２６７あるいは自動復帰用可動マグネット２６８とが同極同士で対向する。このため、元の状態に操作ダイヤル２６０を復帰させようとする復帰力が発生する。この結果、前記操作ダイヤル２６０から操作者が手を離すと、操作ダイヤル２６０は摺動シート２５７を介して操作ダイヤル受け具２５０上を摺動し、元の状態に復帰する。
本実施形態では、マグネット同士の磁力を利用して操作ダイヤル２６０を復帰させることができる。このため、例えば、弾性バネ材のバネ力を利用する場合よりも、磨耗や疲労による劣化がなく、設計が容易であるとともに、構造が簡単で小型の操作モード選択装置を得られるという利点がある。
【００６７】
なお、前述の実施形態では、操作ダイヤルあるいは操作ダイヤル受け具のクリック感をマグネットの磁力で得る場合について説明したが、必ずしもこれに限らず、クリック感を機械的構造で得るようにしてもよい。例えば、操作ダイヤルあるいは操作ダイヤル受け具に設けた凹凸部を、ベースに設けた凸凹部に係合してクリック感を得るとともに、位置決めできるようにしてもよい。
また、磁界検出素子は、磁力の変化を検出できるものであればよく、必ずしもホールＩＣに限定するものではなく、他の検出素子を使用してもよい。
【産業上の利用可能性】
【００６８】
本発明に係る操作モード選択装置は、携帯電話機に限らず、デジタルカメラ、ビデオカメラ、オーディオ機器等の電子機器に適用できることは勿論である。
【符号の説明】
【００６９】
１０：ベース
２０：摺動シート
３０：プリント基板
３３，３４：第１，第２ホールＩＣ
４０：環状ホルダー
５０：クリック感用固定マグネット
５１：モード選択用マグネット
５２：クリック感用可動マグネット
６０：操作ダイヤル
７０：押しボタン
１００：ベース
１１０：クリック感用固定マグネット
１２０：プリント基板
１３１：摺動シート
１４０：クリック感用およびモード選択用可動マグネット
１４１：モード選択用可動マグネット
１５０：操作ダイヤル
１６１：筒状カシメ用リング
２００：ベース
２１０：自動復帰用固定マグネット
２１１：クリック感用固定マグネット
２２０：プリント基板
２３０：摺動シート
２２２，２２３，２２４，２２５：第１，第２，第３，第４ホールＩＣ
２５５，２５６：モード選択用可動マグネット
２５０：操作ダイヤル受け具
２５７：摺動シート
２６０：操作ダイヤル
２６４ａ：位置規制用突起
２６７，２６８：自動復帰用（信号用）可動マグネット
２７１：筒状カシメ用リング
【図１】
2010176971.tif 000003
【図２】
2010176971.tif 000004
【図３】
2010176971.tif 000005
【図４】
2010176971.tif 000006
【図５】
2010176971.tif 000007
【図６】
2010176971.tif 000008
【図７】
2010176971.tif 000009
【図８】
2010176971.tif 000010
【図９】
2010176971.tif 000011
【図１０】
2010176971.tif 000012
【図１１】
2010176971.tif 000013
【図１２】
2010176971.tif 000014
【図１３】
2010176971.tif 000015
【図１４】
2010176971.tif 000016
【図１５】
2010176971.tif 000017
【図１６】
2010176971.tif 000018
【図１７】
2010176971.tif 000019
【図１８】
2010176971.tif 000020
【図１９】
2010176971.tif 000021
【図２０】
2010176971.tif 000022